【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
埋め込み式の刺激システムの拡張可能な電極カフであって、
第１の側壁から第２の側壁まで拡張し、上壁および底壁を有しているベース部材と、
前記第１の側壁に沿った近位端から前記第１の側壁の上方に位置する第１の遠位端まで延びている第１のフランジ部材と、
前記第２の側壁に沿った近位端から第２の遠位端まで延びている第２のフランジ部材と、
前記第１のフランジ部材に固定して係合した近位端を有しており、第３の遠位端まで延びている第３のフランジ部材と、を備えており、
前記第３のフランジ部材は、前記ベース部材の前記上壁および前記第２のフランジ部材の両方の上方に延びており、前記第２のフランジ部材は、前記ベース部材の前記上壁の上方に延びており、前記第２の遠位端は、前記第１の遠位端の上方に離れており、前記第１のフランジ部材、前記第２のフランジ部材、および前記第３のフランジ部材によって管腔が形成される拡張可能な電極カフ。
【請求項２】
前記電極カフは、第１の位置と第２の位置と第３の位置との間を進行することができるものであり、前記第１の位置が、前記ベース部材の前記上壁の上方に延びている前記第２のフランジ部材および前記第３のフランジ部材の両方に対応し、前記第２の位置が、前記ベース部材の前記上壁の上方に延びていない前記第３のフランジ部材に対応し、前記ベース部材の前記上壁の上方に延びている前記第２のフランジ部材に対応し、前記第３の位置が、前記ベース部材の前記上壁の上方に延びている前記第２のフランジ部材および前記第３のフランジ部材の両方に対応する請求項１に記載の拡張可能な電極カフ。
【請求項３】
前記第３のフランジ部材は、神経の周囲への電極カフの配置前の第１の位置と、神経の周囲への電極カフの配置後の第２の位置との間を進行することができ、前記第１の位置においては、前記第３の遠位端が前記ベース部材の前記第２の側壁の上方の第１の距離に位置し、前記第２の位置においては、前記第３の遠位端が前記ベース部材の前記第２の側壁の上方の前記第１の距離よりも大きい第２の距離に位置する請求項１に記載の拡張可能な電極カフ。
【請求項４】
前記第３のフランジ部材および前記第２のフランジ部材は、神経の周囲への電極カフの配置前の第１の位置と、神経の周囲への電極カフの配置後の第２の位置との間を進行することができるものであり、前記第１の位置においては、前記第３の遠位端が前記ベース部材の前記第２の側壁の上方の第１の距離に位置するとともに、前記第２の遠位端が前記第１の遠位端の上方の第２の距離に位置し、前記第２の位置においては、前記第３の遠位端が前記ベース部材の前記第２の側壁の上方の前記第１の距離よりも大きい第３の距離に位置するとともに、前記第２の遠位端が前記第１の遠位端の上方の前記第２の距離よりも大きい第４の距離に位置する請求項１に記載の拡張可能な電極カフ。
【請求項５】
前記第３のフランジ部材は、電極カフが神経の周囲に最初に配置されたときの前記管腔の第１の直径に対応する第１の位置と、電極カフが神経の周囲に最初に配置された後の前記第１の直径よりも大きい第２の直径に対応する第２の位置との間を進行可能であり、前記第１の位置においては、前記第３の遠位端が前記ベース部材の前記第２の側壁の上方の第１の距離に位置し、前記第２の位置においては、前記第３の遠位端が前記ベース部材の前記第２の側壁の上方の前記第１の距離よりも大きい第２の距離に位置する請求項１に記載の拡張可能な電極カフ。
【請求項６】
前記第２のフランジ部材は、電極カフが神経の周囲に最初に配置されたときの前記管腔の第１の直径に対応する第１の位置と、電極カフが神経の周囲に最初に配置された後の前記第１の直径よりも大きい第２の直径に対応する第２の位置との間を進行可能であり、前記第１の位置においては、前記第２の遠位端が前記第１の遠位端の上方の第１の距離に位置し、前記第２の位置においては、前記第２の遠位端が前記第１の遠位端の上方の前記第１の距離よりも大きい第２の距離に位置する請求項１に記載の拡張可能な電極カフ。
【請求項７】
前記第３のフランジ部材および前記第２のフランジ部材は、電極カフが神経の周囲に最初に配置されたときの前記管腔の第１の直径に対応する第１の位置と、電極カフが神経の周囲に最初に配置された後の前記第１の直径よりも大きい第２の直径に対応する第２の位置との間を進行可能であり、前記第１の位置においては、前記第３の遠位端が前記ベース部材の前記第２の側壁の上方の第１の距離に位置するとともに、前記第２の遠位端が前記第１の遠位端の上方の第２の距離に位置し、前記第２の位置においては、前記第３の遠位端が前記ベース部材の前記第２の側壁の上方の前記第１の距離よりも大きい第３の距離に位置するとともに、前記第２の遠位端が前記第１の遠位端の上方の前記第２の距離よりも大きい第４の距離に位置する請求項１に記載の拡張可能な電極カフ。
【請求項８】
前記ベース部材と前記第２のフランジ部材と前記第３のフランジ部材が、記憶に基づく材料のただ１つの一体の成型片として形成されており、当該記憶に基づく材料において、前記第１、第２及び第３のフランジ部材が、前記第２のフランジ部材の遠位端が前記第１のフランジ部材に沿った位置で前記第３のフランジ部材の遠位端に隣接して配置され、且つ係合している完全に係合した位置となるよう付勢されており、
前記第２及び第３のフランジ部材のそれぞれの近位端が、前記第２及び第３のフランジ部材のそれぞれの遠位端より実質的に太くなるように、前記第２及び第３のフランジ部材の両方が近位端から遠位端へと先細りである請求項１に記載の拡張可能な電極カフ。
【請求項９】
埋め込み式のパルス発生器と、
リード本体近位端からリード本体遠位端まで延びているリード本体と、前記リード本体遠位端から延びている拡張可能な電極カフとを有している刺激リードと、
前記リード本体近位端に配置され、前記刺激リードと前記埋め込み式のパルス発生器とを電気的に接続するコネクターと、
を有する埋め込み式の刺激システムをさらに備える請求項１乃至８のいずれか一項に記載の拡張可能な電極カフ。
【手続補正２】
【補正対象書類名】明細書
【補正対象項目名】００１３
【補正方法】変更
【補正の内容】
【００１３】
図３は、本発明の実施の形態による拡張可能な電極カフの正面図である。図３に示されるとおり、一実施の形態によれば、拡張可能な電極カフ１１０が、第１の側壁１２６から第２の側壁１２８へと延びる上壁１２２および底壁１２４を有しているベース部１２０を備えているただ１つの一体の成型片である。第１のフランジ部材１３０が、近位端１３１から遠位端１３２まで延びており、第１の側壁１２６から遠位端１３２へと延びるようにベース部１２０の上壁１２２に位置している。第２のフランジ部材１３４が、近位端１３５から延びており、第２の側壁１２８から遠位端１３６へと延びるようにベース部１２０の上壁１２２に位置している。後述されるように、電極カフ１１０は、リード１００および電極カフ１１０の埋め込み時、および電極カフ１１０が神経に電気刺激療法をもたらすために所望の神経の周囲に配置された後の両者において、拡張可能である。
【手続補正３】
【補正対象書類名】図面
【補正対象項目名】図１１
【補正方法】変更
【補正の内容】
【図１１】
2011519628.tif 000001
【手続補正４】
【補正対象書類名】図面
【補正対象項目名】図１２
【補正方法】変更
【補正の内容】
【図１２】
2011519628.tif 000002
【手続補正５】
【補正対象書類名】図面
【補正対象項目名】図１７
【補正方法】変更
【補正の内容】
【図１７】
2011519628.tif 000003
【手続補正６】
【補正対象書類名】図面
【補正対象項目名】図１８
【補正方法】変更
【補正の内容】
【図１８】
2011519628.tif 000004